(57)【特許請求の範囲】
【請求項１】
胴部と、前記胴部の天面を覆う頂部と、を備えて内部に複数の物品を収容し、当該収容状態において略直方体形状を呈する包装袋であって、
前記頂部には、天面部およびその周縁に付帯する立ち上がり部が設けられ、
前記頂部は、前記胴部よりも破断し易い材料で形成された易破断部を有し、該易破断部には、前記包装袋の開封を行うために前記易破断部を破断させる開始点となる破断開始部が設けられており、
前記破断開始部よりも前記胴部側に近い領域に、互いに係合可能な一対の係合部を有し、前記包装袋の内部を開放／閉塞することが可能な開閉部が設けられ、
前記開閉部は、前記包装袋の内側面の周方向の全体に亘って配置されていることを特徴とする包装袋。
【請求項２】
前記易破断部の引裂強さが、前記胴部の引裂強さよりも１０％以上低いことを特徴とする請求項１に記載の包装袋。
【請求項３】
前記破断開始部は、切れ込み部および／または切り抜き部により形成されていることを特徴とする請求項１または請求項２に記載の包装袋。
【請求項４】
前記破断開始部よりも前記易破断部の上端側に持ち手が設けられることを特徴とする請求項１から請求項３のいずれか一項に記載の包装袋。
【請求項５】
前記易破断部は、前記胴部の底面と平行な方向に破断されるように配置されていることを特徴とする請求項１から請求項４のいずれか一項に記載の包装袋。
【請求項６】
前記物品は、衛生用品であることを特徴とする請求項１から請求項５のいずれか一項に記載の包装袋。
【請求項７】
請求項１から請求項６のいずれか一項に記載の包装袋により物品が収容されていることを特徴とする包装体。
【発明の詳細な説明】
【技術分野】
【０００１】
本発明は、包装袋および包装体に関し、特に物品を収容するのに好適な包装袋および当該包装袋により物品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋には、簡単且つ迅速に開封できることが要望されている。そこで、包装袋の頂部にミシン目が形成された部分を設け、当該部分をミシン目に沿って破断し易くすることで、開封を容易にした包装袋が、例えば、特許文献１に示唆されている。
【先行技術文献】
【特許文献】
【０００３】
【特許文献１】特開２００２−００２７３１号公報
【発明の概要】
【発明が解決しようとする課題】
【０００４】
一般に、衣類や衛生用品等の物品は圧縮した状態で包装袋に梱包される。包装袋は、収容される物品の形状に合わせて包装できること、物品の復元力によって包装袋が破れにくいこと、端部や角部が硬くならないこと、が要求されることから、包装袋全体が伸び率の高く且つ柔らかい材料で構成されている。しかし、特許文献１に記載されたような包装袋が当該材料で構成される場合、ミシン目に沿って開封しようとすると、ミシン目の形成された部分が伸張してうまく破断せず、開封するために手間が掛かったり、あるいは裂け目が乱れて収容物が取り出しにくくなったりする場合があった。
【０００５】
本発明の目的は、破断したい箇所を、簡単、迅速且つ確実に破断して開封することが可能な包装袋および包装体を提供することにある。
【課題を解決するための手段】
【０００６】
本発明による包装袋は、胴部と、胴部の天面を覆う頂部と、を備えて物品を収容可能な包装袋であって、頂部は、胴部よりも破断し易い材料で形成された易破断部を有し、該易破断部には、包装袋の開封を行うために当該易破断部を破断させる開始点となる破断開始部が設けられていることを特徴とするものである。
【０００７】
また、本発明による包装体は、本発明による包装袋によって物品を収容したことを特徴とするものである。
【発明の効果】
【０００８】
本発明の包装袋および包装体によれば、破断したい箇所を、簡単且つ迅速に破断することが可能となる。
【図面の簡単な説明】
【０００９】
【図１】本発明の第１の実施形態に係る、開封前の包装袋および包装体の斜視図である。
【図２】本発明の第１の実施形態に係る、開封前の包装袋および包装体を示し、（ａ）は正面図、（ｂ）は上面図、（ｃ）は（ｂ）のＩＩＣ−ＩＩＣ方向断面図である。
【図３】本発明の第１の実施形態に係る、開封後の包装袋および包装体の斜視図である。
【図４】本発明の第１の実施形態に係る、開封後の包装袋および包装体を示し、（ａ）は正面図、（ｂ）は上面図、（ｃ）は（ｂ）のＩＶＣ−ＩＶＣ方向断面図である。
【図５】破断開始部の種々の形態を示す図であり、（ａ）は三角形状の切れ込み部、（ｂ）は円弧形状の切れ込み部、（ｃ）は四角形状の切れ込み部、（ｄ）は円状の切り抜き部、（ｅ）は四角形状の切り抜き部、（ｆ）は三角形状の切れ込み部および円状の切り抜き部の組合せ、（ｇ）は円弧状の切れ込み部および四角形状の切り抜き部の組合せを示す。
【図６】本発明の第２の実施形態に係る、開封前の包装袋および包装体の斜視図である。
【図７】本発明の第２の実施形態に係る、開封前の包装袋および包装体を示し、（ａ）は正面図、（ｂ）は上面図、（ｃ）は（ｂ）のＶＩＩＣ−ＶＩＩＣ方向断面図である。
【図８】本発明の第２の実施形態に係る、開封後の包装袋および包装体の斜視図である。
【図９】本発明の第２の実施形態に係る、開封後の包装袋および包装体を示し、（ａ）は正面図、（ｂ）は上面図、（ｃ）は（ｂ）のＩＸＣ−ＩＸＣ方向断面図である。
【図１０】本発明の第２の実施形態に係る、チャック部により閉塞した状態の包装袋および包装体の斜視図である。
【発明を実施するための形態】
【００１０】
以下、図面を参照しながら本発明を実施するための形態を詳細に説明する。
【００１１】
本発明の実施形態に係る包装袋は、胴部よりも破断し易い材料で形成された易破断部を有する頂部を含み、当該部分には、包装袋の開封を行うために当該部分を破断させる開始点となる破断開始部が設けられ、この破断開始部から破断の動作を行うことにより、包装袋を簡単且つ迅速に開封することが可能となるものである。
【００１２】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１３】
また、本明細書および特許請求の範囲の記載において、「包装体」とは、物品が収容された状態の包装袋、特に包装袋に複数の物品が収容されることで製造された後であって且つ開封前のものをいう。
【００１４】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１５】
＜第１の実施形態＞  
図１および図２に本発明の第１の実施形態に係る、開封前の包装袋１および包装体１００を示し、図１は斜視図、図２（ａ）は正面図、図２（ｂ）は上面図、図２（ｃ）は図２（ｂ）のＩＩＣ−ＩＩＣ方向断面図をそれぞれ表す。また、図３および図４に本実施形態に係る、開封後の包装袋１’および包装体１００’を示し、図３は斜視図、図４（ａ）は正面図、図４（ｂ）は上面図、図４（ｃ）は図４（ｂ）のＩＶＣ−ＩＶＣ方向断面図をそれぞれ表す。
【００１６】
本実施形態に係る包装袋１は、いわゆる、ガセットタイプのものであり、胴部３の天面を覆う屋根型形状の頂部４を有したものである。包装袋１は、天面と底面との間の物品（本実施形態においては衛生用品２）を収容する空間を実質的に画成する胴部３と、胴部３の天面を覆う頂部４とを備えて構成される。本実施形態では、包装袋１は図１および図２に示すような開封前のもの、包装袋１’は図３および図４に示すような開封後のもの、包装体１００は包装袋１に衛生用品２が複数収容されたもの、包装体１００’は包装袋１’に衛生用品２が複数収容されたものである。
【００１７】
衛生用品２が収容可能な胴部３の素材としては、圧縮して収容される衛生用品２の復元力を考慮するとともに、包装袋の端部や角部の硬さを考慮し、伸び率の高く且つ柔らかい材料が採用される。具体的には、例えば、ポリオレフィン類のうちＰＥ（ポリエチレン）等が挙げられる。
【００１８】
頂部４には、屋根型形状を構成する一対の傾斜面部５とこれらに挟まれるように立ち上がり部６とが設けられる。立ち上がり部６には、おむつを多数収容した包装袋の可搬性を考慮して手で持って提げるための穴が形成された持ち手部を有する。頂部４は、胴部３よりも破断し易い材料で形成された易破断部を有し、頂部４のうち易破断部以外の部分は胴部３と同様の材料で構成される。破断し易い材料とは、例えば、ポリオレフィン類のうちＯＰＰ（二軸延伸ポリプロピレン）等やポリエステル類のうちＰＥＴ（ポリエチレンテレフタレート）等が挙げられる。なお、胴部３よりも破断し易ければ、易破断部の材料は胴部３と同じ材料であってもよい。例えば、易破断部と胴部３とが同じ種類の樹脂から製造されるフィルムであって、その製造方法により破断し易さが異なるフィルムをそれぞれ使用することができる。
【００１９】
易破断部と胴部３が異なる材料であれ、同じ材料であれ、破断し易さは、ＪＩＳ−Ｋ−７１２８−１（１９９８）に準拠して測定される引裂強さ、ＪＩＳ−Ｋ−７１２７（１９９９）に準拠して測定される引張強度、ＪＩＳ−Ｋ−７１２７（１９９９）に準拠して測定される引張伸度等の指標により評価できる。
【００２０】
本発明の効果を好適に享受するには、破断し易さを引裂強さで評価した場合（ＪＩＳ規格は前出したＪＩＳ−Ｋ−７１２８−１（１９９８）。試験環境は、温度２３℃，相対湿度５０％。試験速度：２００ｍｍ／分。評価対象の包装材料の厚みはそれぞれ同一にする。）に、易破断部の引裂強さが胴部３よりも１０％以上低いことが好ましく、２０％以上低いことがより好ましい。
【００２１】
本実施形態では、図２（ｃ）に示すように、易破断部の基端縁の外側の面と包装袋１の内側の面とが重なる部分Ａは接着（例えば溶着）され、易破断部と包装袋１とは一体化されている。
【００２２】
図１から図４に示すように、ハッチングで表された部分が易破断部を表す。易破断部は、胴部３の底面と平行な方向に破断されるように配置されている。具体的には、図１、図２（ａ）に示すように、立ち上がり部６の側端には、包装袋１の開封を行うために、胴部３の底面と平行な方向に易破断部を破断させる開始点となる破断開始部７が設けられる。また、立ち上がり部６の持ち手部は、破断開始部７よりも易破断部の上端側に設けられる。
【００２３】
破断開始部７を千切るように力を加えると、図４（ａ）に示すように、包装袋１は、胴部３の底面と平行な方向に破断される。すると、図３、図４（ｂ）に示すように、包装袋１が開封され、衛生用品２が取り出せる状態になる。また、破断開始部７から易破断部を破断することによって、衛生用品２を取り出すときには不要ないしは邪魔となる立ち上がり部６の持ち手部を同時に取り除くことが可能となる。
【００２４】
図５は破断開始部７の種々の形態を示す図である。本実施形態では、立ち上がり部６の側端に設けられた破断開始部７は図５（ａ）に示すような三角形状の切り込み部となっているが、これに限られず、図５（ｂ）に示す円弧状の切り込み部とすることもできるし、図５（ｃ）に示す四角形状の切り込み部とすることもできる。また、切り込み部ではなく、側端近傍に設けた切り抜き部、例えば、図５（ｄ）に示す円状の切り抜きや、図５（ｅ）に示す四角形（好ましくは菱形）状の切り抜きを破断開始部７として設けることも可能である。さらに、切り込み部と切り抜き部を組み合わせたもの、例えば、図５（ｆ）に示す三角形状の切れ込み部および円状の切り抜き部の組合せや、図５（ｇ）に示す円弧状の切れ込み部および四角形（好ましくは菱形）状の切り抜き部の組合せを破断開始部として設けることもできる。図５（ｆ）では１つの三角形状の切れ込み部と２つの円状の穴を有する切り抜き部が直線上に配置され、図５（ｇ）では１つの円弧状の切れ込み部と２つの四角形状の穴を有する切り抜き部が直線上に配置されている。本実施形態では、図５（ｄ）〜図５（ｇ）に示すように、切り抜き部は、２つの穴を有しているが、これに限られず、１つ以上の穴を有するものであれば良い。
【００２５】
本実施形態によれば、破断したい箇所を、簡単且つ迅速に破断することが可能となる。尚、本実施形態では、破断開始部７が立ち上がり部６の側端に設けられているが、これに限られず、簡単且つ迅速に破断するという本発明の目的に適うものであれば、適宜定め得るものである。具体的には、手で掴むことが可能なところ、例えば、包装袋１のうち角や縁が形成されているところに破断開始部が設けられてもよい。
【００２６】
＜第２の実施形態＞  
本発明の第２の実施形態に係る包装袋は、いわゆる、天面側に片ガセットを配置したタイプのものであって、一度開封したものを再び閉塞可能なようにチャック部が設けられたものである。このような第１の実施形態と異なる形状の包装袋についても、破断したい箇所に易破断部を配置し、当該易破断部に破断開始部を設けることによって、破断したい箇所を、簡単且つ迅速に破断することが可能となる。
【００２７】
図６および図７に本発明の第２の実施形態に係る、開封前の包装袋１０および包装体１１０を示し、図６は斜視図、図７（ａ）は正面図、図７（ｂ）は上面図、図７（ｃ）は図７（ｂ）のＶＩＩＣ−ＶＩＩＣ方向断面図をそれぞれ表す。また、図８および図９に本実施形態に係る、開封後の包装袋１０’および包装体１１０’を示し、図８は斜視図、図９（ａ）は正面図、図９（ｂ）は上面図、図９（ｃ）は図９（ｂ）のＩＸＣ−ＩＸＣ方向断面図をそれぞれ表す。図７（ｃ）においては、説明の便宜上、持ち手部の表記を省略している。本実施形態に係る包装袋を構成する各要素のうち、同様の機能を有するものについては、第１の実施形態と同一の符号を付してその説明を省略する。
【００２８】
本実施形態に係る包装袋１０は、天面と底面との間の物品（本実施形態においては衛生用品２）を収容する空間を実質的に画成する胴部１３と、当該胴部１３の天面を覆う頂部１４とを備えて構成される。本実施形態では、包装袋１０は図６および図７に示すような開封前のもの、包装袋１０’は図８、図９および図１０に示すような開封後のもの、包装体１１０は包装袋１０に衛生用品２が複数収容されたもの、包装体１１０’は包装袋１０’に衛生用品２が複数収容されたものである。
【００２９】
衛生用品２が収容可能な胴部１３の素材として、第１の実施形態と同様に、伸び率の高い材料が採用される。また、胴部１３には、開封後に胴部１３の内部を開放／閉塞することが可能な開閉部として、ジッパー形態のチャック部２１が設けられる。チャック部２１は、互いに係合（例えば、咬合）することで包装袋の開口を閉塞可能な一対の係合部材（２１ａ、２１ｂ）を有し、具体的には、図６から図１０に示すように、胴部１３の内側の面のうち頂部１４に近接した部分に配置される。衛生用品を取り出した後、チャック部２１により包装袋１１の開口を閉塞することによって、開封後に塵埃や虫などの異物が混入し衛生用品に付着することを防止することが可能となる。
【００３０】
頂部１４には、包装袋１０の胴部１３の底面部と略平行な天面部１５とこれに付帯する立ち上がり部１６とが設けられ、立ち上がり部１６の内側の面に基端領域が溶着された一対の持ち手部１８が設けられる。頂部１４は、第１の実施形態と同様に、胴部１３よりも破断し易い材料で形成された易破断部を有する。図６から図１０に示すように、ハッチングで表された部分が易破断部を表す。
【００３１】
図６から図１０に示すように、本実施形態に係る包装袋１０の両側、つまり、胴部１３から頂部１４の左右両側には、縁部１９および縁部２０がそれぞれ形成される。本実施形態では、縁部１９の頂部１４の領域部分に破断開始部１７が形成される。また、持ち手部１８は、破断開始部１７よりも易破断部の上端側に設けられ、チャック部２１は、破断開始部１７よりも胴部１３側に近い領域に設けられる。
【００３２】
本実施形態では、図７（ｃ）に示すように、易破断部の基端縁の内側の面と包装袋１０のうちチャック部近傍の外側の面とが重なる部分Ｂは接着（例えば溶着）され、易破断部と包装袋１０とは一体化されている。
【００３３】
破断開始部１７を千切るように力を加えると、図９（ａ）に示すように、包装袋１０は、胴部１３の底面と平行な方向に破断される。すると図８、図９（ｂ）に示すように、包装袋１０が開封され、衛生用品２が取り出せる状態になる。また、破断開始部１７から破断することによって、衛生用品２を取り出すときには不要ないしは邪魔となる持ち手部１８を同時に取り除くことが可能となる。破断開始部１７の種々の形状の詳細については、図５について説明した第１の実施形態と同様である。
【００３４】
図１０に本実施形態に係る、チャック部により閉塞した状態の包装袋１０’および包装体１１０’の斜視図を示す。本実施形態では、図８、図９に示すように、開封後の包装袋１０’の開口付近にチャック部２１が形成されるため、開封後の包装袋１０’を、図１０に示す閉塞状態にすることが容易に実現することが可能となる。
【００３５】
以上のように、本実施形態によれば、第１の実施形態と同様に、破断したい箇所を、簡単且つ迅速に破断することが可能となる。尚、本実施形態では、破断開始部１７が縁部１９の頂部１４の領域部分に設けられているが、これに限られず、手で掴むことが可能なところ、例えば、縁部２０や包装袋１１のうち角や縁が形成されているところに破断開始部を設けてもよい。
【００３６】
＜その他＞  
本発明は、上述した第１および第２の実施形態や、随所に述べた変形例に限られることなく、本発明の技術的思想から逸脱しない範囲で、適宜の変更や変形が可能である。
【００３７】
例えば、本発明は、上記各実施形態に係る包装袋の形状に限られず、様々な形状の包装袋に適用可能である。
【００３８】
具体的には、第２の実施形態では、チャック部は胴部１３の内側の面のうち頂部１４に近接した部分に配置されているが、その代わりに、立ち上がり部１６の内側の面のうち立ち上がり部１６の基端付近にチャック部を設けてもよい。この場合、天面部１５の中央付近に開口部としてミシン目（脆弱線）を配置し、当該ミシン目を破断することによって包装袋を開封する。天面部１５が易破断部の領域に含まれる場合、易破断部にミシン目が設けられるため、ミシン目が破断し易くなり、包装袋が開封し易くなる。そして、第２の実施形態における破断開始部１７の代わりに、立ち上がり部１６の基端と、当該チャック部との間で挟まれた領域に位置する縁部１９（または縁部２０）の部分に破断開始部を設ける。その結果、ミシン目を破断して包装袋を開封した後に、この破断開始部により易破断部を破断することによって、チャック部により閉塞するときに邪魔となり得る持ち手部１８や立ち上がり部１６の一部を取り除くことが可能となる。立ち上がり部１６の当該一部を取り除くことによって、包装袋の開口端からチャック部までの距離が短くなり、チャック部に手が届き易くなり、包装袋を閉塞状態にすることが容易に実現することが可能となる。
【００３９】
また、上記各実施形態に係る包装袋は、２つの異なる材料で形成されているものも含むが、３つ以上の異なる材料で形成されてもよい。上記各実施形態に係る包装袋は、頂部のうち上部が破断し易い材料で構成され、頂部のうち下部が伸び率の高い材料で構成されているが、これに限られず、破断したい箇所のみを破断し易い材料で構成してもよい。
【００４０】
さらに、上記各実施形態に係る包装袋には持ち手部が設けられているが、本発明の目的に沿うものであれば、持ち手部が設けられなくても良い。また、第２の実施形態に係る包装袋にはチャック部が設けられているが、同様に本発明の目的を達成するのであれば、チャック部が設けられなくても良く、逆に、第１の実施形態において、包装袋の易破断部を破断して形成された開口付近にチャック部を設けても良い。
【００４１】
上記各実施形態に係る包装袋では、易破断部が破断される方向は胴部の底面と平行な方向であるが、これに限られず、収容物の形態および取り出し方との関連において本発明の所期の目的を達成し得るのであれば、胴部の底面と交差する方向、例えば、胴部の底面と垂直な方向であってもよい。
【００４２】
上記各実施形態に係る包装袋では、持ち手部の包装体への取り付け部は破断開始部よりも上端側に設けられているが、当該持ち手部の包装体への取り付け部は破断開始部よりも下端側に設けられてもよい。かかる形態では、ユーザが当該持ち手部を持って包装体を運搬する際に、包装体の自重によって破断開始部が破れることを防止することができる。
【００４３】
上記各実施形態に係る包装袋には、立ち上がり部が形成されているが、立ち上がり部を形成しない形態であっても良い。これにより、包装袋全体をコンパクトな形状にすることが可能となる。
【符号の説明】
【００４４】
１、１’、１０、１０’  包装袋
２  衛生用品
３、１３  胴部
４、１４  頂部
５  傾斜面部
６、１６  立ち上がり部
７、１７  破断開始部
１５  天面部
１８  持ち手部
１９、２０  縁部
２１  チャック部
１００、１００’、１１０、１１０’   包装体
【図１】
0006536163.tif 000002
【図２】
0006536163.tif 000003
【図３】
0006536163.tif 000004
【図４】
0006536163.tif 000005
【図５】
0006536163.tif 000006
【図６】
0006536163.tif 000007
【図７】
0006536163.tif 000008
【図８】
0006536163.tif 000009
【図９】
0006536163.tif 000010
【図１０】
0006536163.tif 000011